(57)【要約】【課題】外観性の向上を図る。【解決手段】遊技媒体補給路３４は、補給扉３０により開閉される開口部３６と、開口部３６に続き開口部３６に供給された遊技媒体を払い出しホッパ２０に導く補給路本体３８とを有している。開口部３６は、下部正面板３２の上方に位置している。補給扉３０は、開口部３６を開放した全開状態と、開口部３６を閉塞した閉塞状態との間で揺動し、補給扉３０の揺動支点３００２は、開口部３６の下方に位置している。補給扉３０は、ヒンジ４２を介して筐体１２側に取着されている。ヒンジ４２の支軸４２０６（揺動支点３００２）は、開口部３６の底部を構成する面３６Ａと、補給扉３０が開口部３６を開閉する面３０Ａとで囲まれる空間の外側に位置し、詳細には、囲まれる空間の下側に位置している。【選択図】図１０
2018038570.tif 000002
【特許請求の範囲】
【請求項１】
遊技媒体貸出機の筐体の正面に設けられた遊技媒体補給用の開口部と、
揺動可能に前記筐体に取着され前記開口部を開閉する補給扉とを備え、
前記補給扉の揺動支点は、前記開口部の下方に位置している、
ことを特徴とする遊技媒体貸出機の補給扉の取り付け構造。
【請求項２】
前記筐体に設けられた軸受部と、前記補給扉に設けられた軸受部とに支軸が挿通されることで、補給扉は前記筐体に揺動可能に取着され、
前記揺動支点を構成する前記支軸は、前記開口部の底部を構成する面と、前記補給扉が前記開口部を開閉する面とで囲まれる空間の外側に位置している、
ことを特徴とする請求項１記載の遊技媒体貸出機の補給扉の取り付け構造。
【請求項３】
前記補給扉はヒンジを介して前記筐体に取着され、
前記ヒンジは、前記軸受部を有し前記筐体に取着される第１のフランジと、前記軸受部を有し前記補給扉が取着される第２のフランジと、それら軸受部に挿通される前記支軸とで構成されている、
ことを特徴とする請求項２記載の遊技媒体貸出機の補給扉の取り付け構造。
【請求項４】
前記第１のフランジは、前記開口部の底部で前記筐体側に取着される取り付け板部を備え、
前記第１のフランジの前記軸受部は、前記取り付け板部の前端に下方に突出して設けられている、
ことを特徴とする請求項３記載の遊技媒体貸出機の補給扉の取り付け構造。
【請求項５】
前記補給扉は、前記第２のフランジが取着されるフレームと、前記フレームに取着され前記開口部を閉塞した状態で前記筐体の正面を構成する扉化粧板とを有し、
前記補給扉で前記開口部を閉塞した状態で、前記扉化粧板の下端は、前記第２のフランジの前記軸受部の下方に位置している、
ことを特徴とする請求項３または４記載の遊技媒体貸出機の補給扉の取り付け構造。
【請求項６】
前記筐体の正面を構成する前記扉化粧板の前面下部には、下方に至るにつれて後方に傾斜する傾斜面が形成されている、
ことを特徴とする請求項５記載の遊技媒体貸出機の補給扉の取り付け構造。
【請求項７】
前記開口部よりも下方の箇所で前記筐体の内部に払い出しホッパが設けられ、
前記筐体の正面で前記開口部の下方に前記払い出しホッパを覆う下部正面板が位置しており、
前記下部正面板の上端と、前記扉化粧板の下端との間には、前記補給扉で前記開口部を開閉するための隙間が確保されている、
ことを特徴とする請求項５または６記載の遊技媒体貸出機の補給扉の取り付け構造。
【発明の詳細な説明】
【技術分野】
【０００１】
本発明は、遊技機に併設される遊技媒体貸出機の補給扉の取り付け構造に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を貨幣投入口に投入することで、あるいは、所定のカード媒体をカード挿入口に挿入することで、筐体内部の払い出しホッパによりメダルの払い出しを行なう。
このような遊技媒体貸出機として、遊技媒体貸出機の筐体の正面に設けられた遊技媒体補給用の開口部と、揺動可能に筐体に取着され開口部を開閉する補給扉とを備えるものが提供されている（特許文献１参照）。
この場合、補給扉はその下部がヒンジを介して筐体に揺動可能に支持されており、開口部の下方には筐体を構成する他の部材が取り付けられている。
【先行技術文献】
【特許文献】
【０００３】
【特許文献１】特開２０１６−１９５６１公報
【発明の概要】
【発明が解決しようとする課題】
【０００４】
上記従来技術では、補給扉が揺動する際の補給扉の下端の移動軌跡が、開口部の下方に配置された他の部材の上端と干渉しないように、補給扉の下端と他の部材の上端との間に隙間を形成する必要がある。
そのため、補給扉を閉塞した状態では補給扉の下端と他の部材の上端との間の隙間が目立ちやすく、遊技媒体貸出機の外観性の向上を図る上で改善の余地がある。
本発明は、上記事情に鑑みなされたものであり、本発明の目的は、外観性の向上を図る上で有利な遊技媒体貸出機の補給扉の取り付け構造を提供することにある。
【課題を解決するための手段】
【０００５】
上記目的を達成するために、請求項１記載の発明は、遊技媒体貸出機の筐体の正面に設けられた遊技媒体補給用の開口部と、揺動可能に前記筐体に取着され前記開口部を開閉する補給扉とを備え、前記補給扉の揺動支点は、前記開口部の下方に位置していることを特徴とする。
請求項２記載の発明は、前記筐体に設けられた軸受部と、前記補給扉に設けられた軸受部とに支軸が挿通されることで、補給扉は前記筐体に揺動可能に取着され、前記揺動支点を構成する前記支軸は、前記開口部の底部を構成する面と、前記補給扉が前記開口部を開閉する面とで囲まれる空間の外側に位置していることを特徴とする。
請求項３記載の発明は、前記補給扉はヒンジを介して前記筐体に取着され、前記ヒンジは、前記軸受部を有し前記筐体に取着される第１のフランジと、前記軸受部を有し前記補給扉が取着される第２のフランジと、それら軸受部に挿通される前記支軸とで構成されていることを特徴とする。
請求項４記載の発明は、前記第１のフランジは、前記開口部の底部で前記筐体側に取着される取り付け板部を備え、前記第１のフランジの前記軸受部は、前記取り付け板部の前端に下方に突出して設けられていることを特徴とする。
請求項５記載の発明は、前記補給扉は、前記第２のフランジが取着されるフレームと、前記フレームに取着され前記開口部を閉塞した状態で前記筐体の正面を構成する扉化粧板とを有し、前記補給扉で前記開口部を閉塞した状態で、前記扉化粧板の下端は、前記第２のフランジの前記軸受部の下方に位置していることを特徴とする。
請求項６記載の発明は、前記筐体の正面を構成する前記扉化粧板の前面下部には、下方に至るにつれて後方に傾斜する傾斜面が形成されていることを特徴とする。
請求項７記載の発明は、前記筐体の正面で前記開口部の下方に下部正面板が位置しており、前記下部正面板の上端と、前記扉化粧板の下端との間には、前記補給扉で前記開口部を開閉するための隙間が確保されていることを特徴とする。
【発明の効果】
【０００６】
請求項１記載の発明によれば、補給扉の下端と、補給扉の下端に隣接する他の部材との隙間を最小限にできる。
したがって、補給扉で開口部を閉塞した場合の遊技媒体貸出機の外観性の向上を図る上で有利となる。
請求項２記載の発明によれば、補給扉を開いた全開時、開口部の底部を構成する面と、補給扉が開口部を開閉する面との間に露出する軸受部の体積は小さい。
そのため、遊技媒体を補給する際、開口部に投入された遊技媒体が軸受部に干渉されず円滑に補給され、遊技媒体の補給作業の効率を向上させることができる。
請求項３記載の発明によれば、請求項２記載の発明を簡単に構成する上で有利となる。
請求項４記載の発明によれば、簡単な構成により補給扉の揺動支点を開口部の下方に位置させる上で有利となる。
請求項５記載の発明によれば、扉化粧板の下部で軸受部や開口部の底部を構成する部材を隠すことができ、遊技媒体貸出機の外観性の向上を図る上で有利となる。
請求項６記載の発明によれば、補給扉の開閉時における扉化粧板の下端の移動軌跡の下方への張出し量がより小さくなり、隙間を最小限の寸法にする上で有利となる。
請求項７記載の発明によれば、下部正面板の上端と、扉化粧板の下端との間の隙間を最小限にでき、補給扉で開口部を閉塞した場合の遊技媒体貸出機の外観性の向上を図る上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】（Ａ）は開口部が補給扉で閉塞された状態を示す斜視図、（Ｂ）は開口部が開放された状態を示す斜視図である。
【図３】開口部が開放された状態を正面斜め上方から見た斜視図である。
【図４】開口部から補給扉を取り外した遊技媒体貸出機の部分正面図である。
【図５】（Ａ）は底壁部材の平面図、（Ｂ）は底壁部材の正面図、（Ｃ）は底壁部材の側面図である。
【図６】補給扉の筐体本体への取り付け構造を説明する分解斜視図である。
【図７】（Ａ）は扉化粧板の平面図、（Ｂ）は扉化粧板の正面図、（Ｃ）は扉化粧板の側面図、（Ｄ）は扉化粧板の縦断面図である。
【図８】（Ａ）は補給扉の平面図、（Ｂ）は補給扉の背面図、（Ｃ）は補給扉の側面図である。
【図９】筐体本体の側板部を外した状態で補給扉を側面から見た図であり、（Ａ）は補給扉が閉じられた状態を示し、（Ｂ）は補給扉が開かれた状態を示す。
【図１０】実施の形態において補給扉が開閉された状態を示す側面図であり、（Ａ）は補給扉が開かれた状態を示し、（Ｂ）は補給扉が閉じられた状態を示す。
【図１１】比較例において補給扉が開閉された状態を示す側面図であり、（Ａ）は補給扉が開かれた状態を示し、（Ｂ）は補給扉が閉じられた状態を示す。
【図１２】（Ａ）は実施の形態において補給扉の下端の移動軌跡を示す側面図であり、（Ｂ）は（Ａ）のヒンジ部分の拡大図である。
【図１３】（Ａ）は比較例において補給扉の下端の移動軌跡を示す側面図であり、（Ｂ）は（Ａ）のヒンジ部分の拡大図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。なお、遊技媒体は、メダルのような円板状の遊技媒体に限定されず、矩形板状、あるいは、多角形板状など、従来公知の様々な形状の遊技媒体が使用可能である。また、遊技機がパチンコ機の場合、遊技媒体はパチンコ玉である。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、補給扉３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者を識別する情報又はカード固有の識別情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１１】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１２】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。したがって、払い出しホッパ２０や計数ホッパ２１は下部正面板３２で隠される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１３】
筐体１２の内部で払い出しホッパ２０の上方には、メダル補給用の遊技媒体補給路３４が設けられる。
遊技媒体補給路３４は、補給扉３０により開閉される開口部３６と、開口部３６に続き開口部３６に供給された遊技媒体を払い出しホッパ２０に導く補給路本体３８とを有している。
開口部３６は、下部正面板３２の上方に位置している。
図９（Ａ）、（Ｂ）に示すように、遊技媒体補給路３４の下方を仕切る補給路底壁は、図５に示す底壁部材４０の底壁部４００２により構成され、底壁部材４０は取り付け片４００４を介して筐体１２に取着されている。
【００１４】
補給扉３０は、図９（Ａ）に示すように、開口部３６を開放した全開状態と、図９（Ｂ）に示すように、開口部３６を閉塞した閉塞状態との間で揺動し、補給扉３０の揺動支点３００２は、開口部３６の下方に位置している。
本実施の形態では、補給扉３０は、ヒンジ４２を介して筐体１２側に取着されている。
図４、図９（Ａ）、（Ｂ）に示すように、補給扉３０の両側には、補給扉３０を開いた際に、補給扉３０の左右両端と筐体本体１４の一対の側板１４０４の前端縁との間に生ずる空隙を塞ぐことで、補給扉３０の上方から開口部３６に向けて遊技媒体の補給を円滑に行えるように扉用側板部材４４が取着されている。この左右の扉用側板部材４４は、補給扉３０を閉じると、補給路本体３８の両側に配置された筐体用側板部材４６と一対の側板１４０４との間に収容される。
【００１５】
図１２（Ｂ）に示すように、ヒンジ４２は、第１のフランジ４２０２と第２のフランジ４２０４と支軸４２０６とを含んで構成されている。
第１、第２のフランジ４２０２、４２０４はそれぞれ、取り付け板部４２０２Ａ、４２０４Ａと、筒状の軸受部４２０２Ｂ、４２０４Ｂとを有している。
第１のフランジ４２０２の取り付け板部４２０２Ａは、図１２（Ｂ）に示すように、底壁部材４０の底壁部４００２の前端の上面にねじにより取着されている。
第１のフランジ４２０２の軸受部４２０２Ｂは、取り付け板部４２０２Ａの前端に下方に突出して設けられている。
軸受部４２０２Ｂに支軸４２０６が挿通されることから、補給扉３０の揺動支点３００２となる支軸４２０６は、第１のフランジ４２０２の取り付け板部４２０２Ａよりも下方の箇所に位置している。
図９（Ａ）、（Ｂ）、図１２（Ｂ）に示すように、開口部３６の底部は、第１のフランジ４２０２の取り付け板部４２０２Ａの上面で形成され、したがって、第１のフランジ４２０２の取り付け板部４２０２Ａよりも下方の箇所に位置する支軸４２０６すなわち補給扉３０の揺動支点３００２は開口部３６の下方に位置している。
本実施の形態では、第１のフランジ４２０２の取り付け板部４２０２Ａの上面が、開口部３６の底部を構成する面３６Ａとなっている。
【００１６】
図１２（Ｂ）に示すように、第２のフランジ４２０４の取り付け板部４２０４Ａは、補給扉３０で開口部３６を閉塞した状態で、補給扉３０の下部に取着されている。
第２のフランジ４２０４の軸受部４２０４Ｂは、補給扉３０で開口部３６を閉塞した状態で、取り付け板部４２０４Ａの下部に設けられている。
第１、第２のフランジ４２０２、４２０４の軸受部４２０２Ｂ、４２０４Ｂにわたり支軸４２０６が挿通されている。
【００１７】
図３、図６、図７（Ａ）〜（Ｄ）、図８（Ａ）〜（Ｃ）、図９（Ａ）、（Ｂ）、図１２（Ｂ）に示すように、補給扉３０は、第２のフランジ４２０４の取り付け板部４２０４Ａが取着されるフレーム４８と、フレーム４８に取着され開口部３６を閉塞した状態で筐体１２の正面を構成する扉化粧板５０とを有している。
本実施の形態では、補給扉３０が開口部３６を開閉する面３０Ａは、フレーム４８に取着された箇所と反対に位置する第２のフランジ４２０４の取り付け板部４２０４Ａの面と、扉化粧板５０と反対に位置するフレーム４８の面とで構成されている。
図１２（Ｂ）に示すように、ヒンジ４２の支軸４２０６は、開口部３６の底部を構成する面３６Ａと、補給扉３０が開口部３６を開閉する面３０Ａとで囲まれる空間の外側に位置し、詳細には、囲まれる空間の下側に位置している。
また、図１０（Ｂ）に示すように、補給扉３０で開口部３６を閉塞した状態で、扉化粧板５０の下端５００２は、軸受部４２０２Ｂ、４２０４Ｂの下方に位置している。
また、本実施の形態では、図７（Ｂ）〜（Ｄ）、図１０（Ａ）、（Ｂ）、図１２（Ａ）、（Ｂ）に示すように、筐体１２の正面を構成する扉化粧板５０の前面の下部に、下方に至るにつれて後方に傾斜する傾斜面５０１０が形成されている。
図１０（Ａ）に示すように、補給扉３０を開けた状態では、扉化粧板５０の傾斜面５０１０と、下部正面板３２の上端３２０４との間には、下部正面板３２を上方に持ち上げての着脱を可能とする開隙間Ｓｏが確保される。以下に、その着脱構造について説明する。
図１０（Ａ）に示すように、本実施の形態において下部正面板３２は、複数の下部正面板フック３２１０を、筐体１２に形成されている係止片１４１１に、上方から下方に向けて挿入することで係止して、筐体１２に装着されるように構成されている。
下部正面板３２を筐体１２の正面に取り付ける場合には、先ず補給扉３０を開けた状態にして扉化粧板５０と下部正面板３２の上端３２０４との間の開隙間Ｓｏを確保してから、本来下部正面板３２が取り付く位置よりも若干上方の正面開口部１４１０に、下部正面板３２を挿入してから下方に下げる。すると、下部正面板３２の裏面側に形成されている下部正面板フック３２１０と、筐体１２側の係止片１４１１とが係合して、下部正面板３２が筐体１２に装着される。
下部正面板３２を筐体１２から取り外す場合には、補給扉３０を開けた状態にして開隙間Ｓｏを確保してから下部正面板３２を上方に持ち上げて、下部正面板３２の裏面側に形成されている下部正面板フック３２１０と、筐体１２側の係止片１４１１との係合を解除する。そして、下部正面板３２を上方に持ち上げた状態のまま下部正面板３２を手前に引くと、下部正面板３２を筐体１２から取り外すことができる。
なお、補給扉３０が閉じられた状態では、扉化粧板５０の下端５００２と下部正面板３２の上端３２０４との間の隙間Ｓｃが狭いために、下部正面板３２を持ち上げようとしても上端３２０４が扉化粧板５０の下端５００２と当接して止まってしまう。したがって、下部正面板フック３２１０と筐体１２側の係止片１４１１との係合を解除することができない。すなわち、補給扉３０が閉じられた状態では、下部正面板３２の着脱が不可能となる。
本実施の形態では、補給扉３０の開閉作業には専用の鍵を鍵孔３０１０に差し込んでの解錠、施錠動作を行う必要があることから、専用の鍵を持っていない者には下部正面板３２の着脱を行うことができず、専用の鍵を持っている遊技場の店員は、容易に下部正面板３２の着脱を行うことができる。
【００１８】
次に作用効果について説明する。
筐体１２の正面で開口部３６の下方に、遊技媒体貸出機１０を構成する他の部材が配置されており、遊技媒体貸出機１０を構成する他の部材の上端と、扉化粧板５０の下端５００２との間には、補給扉３０の開閉を行うのに必要となる閉隙間Ｓｃが確保されている。
本実施の形態では、筐体１２の正面で開口部３６の下方に下部正面板３２が位置している。下部正面板３２の上端３２０４と、扉化粧板５０の下端５００２との間における閉隙間Ｓｃは、補給扉３０を閉じた状態での下部正面板３２の着脱が不可能となる狭い隙間である。
またこの閉隙間Ｓｃは、筐体１２の正面の外観性を高めるため、できるだけ小さい寸法であることが好ましい。
【００１９】
図１１（Ａ）、（Ｂ）、図１３（Ａ）、（Ｂ）は、比較例を示すものである。
補給扉３０は、図１１（Ａ）に示すように開口部３６を開放した全開状態と、図１１（Ｂ）に示すように、開口部３６を閉塞した閉塞状態との間でヒンジ４２により軸支されて揺動する。比較例（一般的なヒンジの配置例）の場合には図１３（Ｂ）に示すように、補給扉３０の揺動支点３００２は、開口部３６の開口範囲内に突出する形で配置されている。
この比較例の場合には、図１３（Ｂ）に示すように、補給扉３０が揺動支点３００２を支点とし揺動した場合の扉化粧板５０の下端５００２の移動軌跡Ｘ′は円弧となるが、この移動軌跡Ｘ′の下方への張出し量ＴＲは大きな値となる。
したがって、この移動軌跡Ｘ′の下方への張出し量ＴＲの存在により、扉化粧板５０の下端５００２と下部正面板３２の上端３２０４とが干渉しないための閉隙間Ｓｃ′は大きなものとならざるを得ない。
これに対して本実施の形態では、図１０（Ａ）、（Ｂ）、図１２（Ａ）、（Ｂ）に示すように、補給扉３０の揺動支点３００２が開口部３６の下方に位置していると共に、揺動支点３００２は、第１のフランジ４２０２における取り付け板部４２０２Ａよりも下方に配置されている。更に、揺動支点３００２は、補給扉３０を閉じた状態において、第２のフランジ４２０４における取り付け板部４２０４Ａよりも前方に配置されている。
そのため、補給扉３０の下端の移動軌跡Ｘの円弧は、比較例の移動軌跡Ｘ′の円弧に比べて半径が小さくなると共に、移動軌跡Ｘの下方への張出し量ＴＲ（図１３（Ｂ）参照）を減少させることができる。
そのため、補給扉３０の下端と、補給扉３０の下端に隣接する他の部材との閉隙間Ｓｃを最小限にできる。
したがって、補給扉３０で開口部３６を閉塞した場合の遊技媒体貸出機１０の外観性の向上を図る上で有利となる。
【００２０】
また、本実施の形態によれば、補給扉３０の揺動支点３００２となる支軸４２０６は、開口部３６の底部を構成する面３６Ａと、補給扉３０が開口部３６を開閉する面３０Ａとで囲まれる空間の外側に位置している。
そのため、補給扉３０を開いた全開時、開口部３６の底部を構成する面３６Ａと、補給扉３０が開口部３６を開閉する面３０Ａとの間に露出する軸受部４２０２Ｂ、４２０４Ｂの体積は小さい。
すなわち、図１１（Ａ）に示す比較例のように、開口部３６の底部を構成する面３６Ａと、補給扉３０が開口部３６を開閉する面３０Ａとの間に、大きな体積の軸受部４２０２Ｂ、４２０４Ｂが突出していない。
そのため、遊技媒体を補給する際、開口部３６に投入された遊技媒体が軸受部４２０２Ｂ、４２０４Ｂと干渉することなく円滑に補給されることとなり、遊技媒体の補給作業の効率を向上させることができる。
【００２１】
また、本実施の形態によれば、ヒンジ４２の第１のフランジ４２０２は、開口部３６の下部で筐体１２側に取着される取り付け板部４２０２Ａを備え、第１のフランジ４２０２の軸受部４２０２Ｂは、取り付け板部４２０２Ａの前端に下方に突出して設けられている。
そのため、簡単な構成により補給扉３０の揺動支点３００２を開口部３６の下方に位置させる上で有利となる。
【００２２】
また、本実施の形態によれば、補給扉３０で開口部３６を閉塞した状態で、扉化粧板５０の下端５００２は、軸受部４２０４Ｂの下方に位置している。
したがって、扉化粧板５０の下部で軸受部４２０２Ｂ、４２０４Ｂや、底壁部材４０などの開口部３６の底部を構成する部材を隠すことができ、遊技媒体貸出機１０の外観性の向上を図る上で有利となる。
【００２３】
また、本実施の形態では、筐体１２の正面を構成する扉化粧板５０の前面の下部に、下方に至るにつれて後方に傾斜する傾斜面５０１０が形成されている。
すなわち、扉化粧板５０の厚さは均一寸法としてもよいが、扉化粧板５０の前面の下部に傾斜面５０１０を形成することによって、図１２（Ｂ）に示すように、扉化粧板５０の下端５００２の移動軌跡Ｘがより小さくなり、閉隙間Ｓｃを最小限の寸法にする上で有利となる。
【００２４】
また、本実施の形態によれば、筐体１２の正面で開口部３６の下方に下部正面板３２が位置しており、下部正面板３２の上端３２０４と、扉化粧板５０の下端５００２との間の閉隙間Ｓｃを最小限にでき、補給扉３０で開口部３６を閉塞した場合の遊技媒体貸出機１０の外観性の向上を図る上で有利となる。
【００２５】
なお、本実施の形態では、ヒンジ４２を用いて補給扉３０を筐体１２に揺動可能に結合した場合について説明したが、例えば、補給扉３０と筐体１２側にそれぞれ筒状の軸受部を設けておき、それら軸受部に支軸を挿通することで補給扉３０を筐体１２に揺動結合するなど、補給扉３０を筐体１２に揺動可能に結合する構造には従来公知の様々な構造が採用可能である。ただし、実施の形態のようにヒンジ４２を用いると、構造を簡単化しコストダウンを図る上で有利となる。
【符号の説明】
【００２６】
１０  遊技媒体貸出装置
１２  筐体
３０  補給扉
３００２  揺動支点
３０Ａ  補給扉が開口部を開閉する面
３２  下部正面板
３２０４  上端
３４  遊技媒体補給路
３６  開口部
３６Ａ  開口部の底部を構成する面
４２  ヒンジ
４２０２  第１のフランジ
４２０２Ａ  取り付け板部
４２０２Ｂ  軸受部
４２０４  第２のフランジ
４２０４Ａ  取り付け板部
４２０４Ｂ  軸受部
４２０６  支軸
４８  フレーム
５０  扉化粧板
５００２  下端
Ｓｃ  閉隙間
Ｓｏ  開隙間
【図１】
2018038570.tif 000003
【図２】
2018038570.tif 000004
【図３】
2018038570.tif 000005
【図４】
2018038570.tif 000006
【図５】
2018038570.tif 000007
【図６】
2018038570.tif 000008
【図７】
2018038570.tif 000009
【図８】
2018038570.tif 000010
【図９】
2018038570.tif 000011
【図１０】
2018038570.tif 000012
【図１１】
2018038570.tif 000013
【図１２】
2018038570.tif 000014
【図１３】
2018038570.tif 000015